(57)【特許請求の範囲】
【請求項１】
複数のロール（１５）及び／または複数のガイド（１７）をパスライン（２０）に沿って支持し、ロール方向に配列する複数のロールスタンド（１０）及び／または複数のガイドスタンド（１８）を備えた圧延機（１、２、３、４）において、前記ロール（１５）のロール間隔、または前記ガイド（１７）のガイド間隔を決定する装置であって、
前記装置はカメラ（６０）、バックライト（５５）、基準用手段（３０）、比較スケール（４０）を備え、
前記カメラ（６０）は前記圧延機（１、２、３、４）の搬入側（１２）および搬出側（１３）のうちの一方に備えられ、前記カメラは前記圧延機（１、２、３、４）の搬入側（１２）から搬出側（１３）までのすべての前記ロールスタンド（１０）及び／又はすべての前記ガイドスタンド（１８）に届く焦点深度を有し、
前記バックライト（５５）は前記圧延機（１、２、３、４）の搬入側（１２）および搬出側（１３）のうちのもう一方に備えられ、
前記基準用手段（３０）は前記カメラ（６０）の光軸を前記パスライン（２０）と同化させるために用いられ、
前記比較スケール（４０）が配置された前記ロールスタンド（１０）または前記ガイドスタンド（１８）については、前記カメラ（６０）で撮像された前記ロール（１５）または前記ガイド（１７）の画像と、前記カメラ（６０）で撮像された前記比較スケール（４０）の画像から提供された基準寸法とから、前記ロールスタンド（１０）のロール間隔または前記ガイドスタンド（１８）のガイド間隔が決定されること、および
前記比較スケール（４０）が配置されない前記ロールスタンド（１０）または前記ガイドスタンド（１８）については、前記カメラ（６０）で撮像された前記ロール（１５）または前記ガイド（１７）の画像と、他の位置に配置された前記比較スケール（４０）の画像からの演算で得られる基準寸法とから、前記ロールスタンド（１０）のロール間隔または前記ガイドスタンド（１８）のガイド間隔が決定されること、を特徴とする装置。
【請求項２】
前記搬入側（１２）および搬出側（１３）のうちのもう一方に配置される、前記基準用手段（３０）のための発信機（３５）を有することを特徴とする、請求項１に記載の装置。
【請求項３】
前記バックライト（５５）及び／または前記発信機（３５）からカメラ（６０）の方向に、全ての前記ロールスタンド（１０）の前または中に配置することができる前記比較スケール（４０）を有することを特徴とする、請求項２に記載の装置。
【請求項４】
前記ロール（１５）及び前記ガイド（１７）の表面の輪郭の認識手段を有する、前記カメラ（６０）に従属する画像処理装置（７０）を備え、前記焦点深度の尺度として、前記認識手段に必要なコントラストを確保できることが選択されることを特徴とする、請求項１から３のうちのいずれか一項に記載の装置。
【請求項５】
前記搬入側（１２）および搬出側（１３）のうちのもう一方に、前記比較スケール（４０）の支持軸（５０）のためのホルダ（５３）が配置されることを特徴とする、請求項１から４のうちのいずれか一項に記載の装置。
【請求項６】
前記支持軸（５０）が前記ホルダ（５３）から、少なくとも１つの前記ロールスタンド（１０）及び／又は前記ガイドスタンド（１８）まで達することを特徴とする、請求項５に記載の装置。
【請求項７】
前記比較スケール（４０）がロール方向に沿って移動可能であることを特徴とする、請求項５または６に記載の装置。
【請求項８】
前記比較スケール（４０）に垂直に固定された支持軸（５０）を有することを特徴とする、請求項１に記載の装置。
【請求項９】
前記支持軸（５０）が管（５２）として形成されていることを特徴とする、請求項５から８のうちいずれか一項に記載の装置。
【請求項１０】
前記支持軸（５０）が前記比較スケール（４０）の中心に固定されていることを特徴とする、請求項５から９のうちいずれか一項に記載の装置。
【請求項１１】
前記比較スケール（４０）が、少なくとも１つの光を通す領域を有することを特徴とする、請求項１から１０のうちいずれか一項に記載の装置。
【請求項１２】
前記比較スケール（４０）が、少なくとも２つの別個のスケール部位（４６）を有することを特徴とする、請求項１から１１のうちいずれか一項に記載の装置。
【請求項１３】
少なくとも１つの前記スケール部位（４６）の形状が円形であることを特徴とする、請求項１２に記載の装置。
【請求項１４】
少なくとも１つの前記スケール部位（４６）が透明または半透明であることを特徴とする、請求項１２または１３に記載の装置。
【請求項１５】
前記基準用手段（３０）、前記比較スケール（４０）、及び少なくとも１つの前記ロール（１５）または前記ガイド（１７）の、前記カメラ（６０）によって撮像された画像からロール間隔またはガイド間隔を決定する画像処理装置（７０）を有し、前記基準用手段（３０）の位置が画像に算出され、前記圧延機（１、２、３、４）のパスライン（２０）と同化され、それによって、前記ロール（１５）またはガイド（１７）の位置を前記比較スケール（４０）を介して算出することを特徴とする、請求項１に記載の装置。
【請求項１６】
複数の前記ロール（１５）及び／または複数の前記ガイド（１７）を前記パスライン（２０）に沿って支持し、ロール方向に配列する複数の前記ロールスタンド（１０）及び／または複数の前記ガイドスタンド（１８）、および請求項１〜１５のいずれか１項に記載の前記ロール（１５）のロール間隔、または前記ガイド（１７）のガイド間隔を決定する装置、を備えた圧延機（１、２、３、４）。
【請求項１７】
複数のロール（１５）及び／または複数のガイド（１７）をパスライン（２０）に沿って支持し、ロール方向に配列する複数のロールスタンド（１０）及び／または複数のガイドスタンド（１８）を備えた圧延機（１、２、３、４）において、前記ロール（１５）のロール間隔、または前記ガイド（１７）のガイド間隔を決定する方法であって、前記方法は、
カメラ（６０）を前記圧延機（１、２、３、４）の搬入側（１２）および搬出側（１３）のうちの一方に配置するステップ、
前記カメラ（６０）を機械的な基準を用いて前記パスライン（２０）上に方向付けし、少なくとも一つの基準スケールを前記カメラ（６０）で記録し、画像処理装置に送るステップ、
複数の前記ロールスタンド（１０）または複数の前記ガイドスタンド（１８）のうちの少なくとも一つに比較スケール（４０）を配置して前記カメラ（６０）で撮像するステップ、
前記比較スケール（４０）が配置された前記ロールスタンド（１０）の前記ロール（１５）または前記ガイドスタンド（１８）の前記ガイド（１７）の画像を撮像するステップ、
前記比較スケール（４０）が配置された前記ロールスタンド（１０）の前記ロール（１５）または前記ガイドスタンド（１８）の前記ガイド（１７）の画像と、前記比較スケール（４０）の画像から計算された基準寸法とからロール間隔またはガイド間隔を決定するステップ、
前記比較スケール（４０）が配置されない、前記ロールスタンド（１０）または前記ガイドスタンド（１８）の前記ロール（１５）または前記ガイド（１７）の画像を撮像するステップ、
前記比較スケール（４０）が配置されない前記ロールスタンド（１０）または前記ガイドスタンド（１８）の、前記ロール（１５）または前記ガイド（１７）の画像と、他の位置に配置された前記比較スケール（４０）の画像からの演算で得られる基準寸法とから、前記比較スケール（４０）が配置されない前記ロールスタンド（１０）または前記ガイドスタンド（１８）の前記ロール（１５）のロール間隔、または前記ガイド（１７）のガイド間隔を決定するステップ、を含む方法。
【請求項１８】
前記ロール間隔または前記ガイド間隔を算出するための画像処理が、それぞれ前記ロールまたは前記ガイドの表面の輪郭を画像認識を介して識別し、前記基準スケールと関連付けてそれぞれの前記ロール（１５）または前記ガイド（１７）の位置を算出することを特徴とする、請求項１７に記載の方法。
【請求項１９】
前記機械的な基準として、前記カメラ（６０）のカメラホルダ、前記比較スケール（４０）、前記ロールスタンド（１０）または前記ガイドスタンド（１８）またはその他のフレームに取り付け可能な、 望遠鏡のホルダまたは穴の空いたブリッジのようなマーカー、または、最前段または最後段の前記スタンド（１０、１８）のロール（１５）あるいはガイド（１７）が使用されることを特徴とする、請求項１７または１８に記載の方法。
【請求項２０】
前記基準スケールとして、前記比較スケール（４０）、バックライト（５５）上のスケール、または、最前段または最後段の前記ロールスタンド（１０）または前記ガイドスタンド（１８）の前記ロール（１５）または前記ガイド（１７）が使用されることを特徴とする、請求項１７から１９のうちいずれか一項に記載の方法。
【請求項２１】
前記基準用手段（３０）のための発信機（３５）、機械的な基準、および基準スケールを前記圧延機（１、２、３、４）の前記搬入側（１２）または前記搬出側（１３）のうちのもう一方に配置した後、
前記比較スケール（４０）を、最前段及び最後段の前記ロールスタンド（１０）または前記ガイドスタンド（１８）に配置すること
を特徴とする、請求項１７から１９のうちいずれか一項に記載の方法。
【請求項２２】
前記カメラ（６０）による撮像のために、少なくとも、前記カメラ（６０）と測定される前記ロール（１５）または前記ガイド（１７）間にある、全ての前記ロール（１５）または前記ガイド（１７）が 半径方向外側に後退させられ、または他の方法で前記カメラ（６０）の視野から除去されることを特徴とする、請求項１７から２１のうちいずれか一項に記載の方法。
【請求項２３】
前記カメラ（６０）による撮像のために、測定される前記ロール（１５）または前記ガイド（１７）以外の全ての前記ロール（１５）及び前記ガイド（１７）が半径方向外側に後退させられ、または他の方法で前記カメラ（６０）の視野から除去されることを特徴とする、請求項２２に記載の方法。
【請求項２４】
測定値変換器を介して、ロール位置またはガイド位置がオンラインで算出され、前記測定値変換器が事前にインラインで補正されることを特徴とする、請求項１７から２３のうちいずれか一項に記載の方法。
【請求項２５】
補正が光学的に行われることを特徴とする、請求項２４に記載の方法。
【請求項２６】
前記測定値変換器が、直接前記ロール（１５）または前記ガイド（１７）に設置された、または機械的なアセンブリのみを介して、前記ロール（１５）または前記ガイド（１７）と間接的に接続されている測定点を備えることを特徴とする、請求項２４または２５に記載の方法。
【発明の詳細な説明】
【技術分野】
【０００１】
本発明は、圧延機及び多段圧延機のロールあるいはガイドスタンドのロールあるいはガイド間隔を決定する装置及び方法に関わる。
【背景技術】
【０００２】
特開昭５７−１２１８１０号公報（特許文献１）及び独国特許出願公開第３７２４９８２（Ａ１）号明細書（特許文献２）、または旧ソ連特許６６８１４２Ａ号明細書（特許文献３）から、例えば、圧延機のパスライン、すなわち装置に合わせて設けられた圧延機の中央通路ラインに合わせてロール間隔が点検され、最適化される多段圧延機が公知である。そこでは、型板がそれぞれロールスタンドのロール間に挟持され、レーザシステムによって調整される。
【０００３】
特開２００２−０３５８３４号公報（特許文献４）、または欧州特許出願公開第１６７９１３７（Ａ１）号明細書（特許文献５）による、圧延機及び多段圧延機のロールスタンドのロール間隔を決定する装置及び方法においては、挟持を省略することができるが、そのときそれぞれ１つの比較スケール及び照明器具が、それぞれの測定されるロールスタンドの近くに設置されなければならない。 
【０００４】
これらの処置の欠点は、ここで各部材または複数の部材が、それぞれロールスタンドあるいはロールの近くに設置されなければならないところにあり、それは特に圧延機の中央に配置された場合、及び、到達しにくいロールスタンドあるいはロールである場合、比較的複雑な方法でのみ行われることができる。
【０００５】
それに反して、ロールスタンドの一方の搬入または搬出側にカメラを、ロールスタンドのもう一方の搬入または搬出側に照明を設けた特開昭５９−０１９０３０号公報（特許文献６）、あるいは、照明及びカメラをロールスタンドの一方の搬入または搬出側に、ロールスタンドのもう一方の搬入または搬出側に反射器を配置した独国特許出願公開第３７２９１７６（Ａ１）号明細書（特許文献７）による配置及び方法は、部材なしに解決しているが、そのとき特にこのような圧延機が有する著しい長さに起因する、画像の著しい不正確さという短所が生じる。
【先行技術文献】
【特許文献】
【０００６】
【特許文献１】特開昭５７−１２１８１０号公報
【特許文献２】独国特許出願公開第３７２４９８２（Ａ１）号明細書
【特許文献３】旧ソ連特許６６８１４２Ａ号明細書
【特許文献４】特開２００２−０３５８３４号公報
【特許文献５】欧州特許出願公開第１６７９１３７（Ａ１）号明細書
【特許文献６】特開昭５９−０１９０３０号公報
【特許文献７】独国特許出願公開第３７２９１７６（Ａ１）号明細書
【発明の概要】
【発明が解決しようとする課題】
【０００７】
本発明の課題は、 簡単でありながら正確に測定ができる、 一般的な圧延機及び多段圧延機のロールスタンドのロール間隔を決定するための一般的な装置及び方法を提供することにある。
【課題を解決するための手段】
【０００８】
解決法として、圧延機及び多段圧延機のロールスタンドのロール間隔を決定する装置及び方法は、独立請求項の特徴によって提案され、特に好適な実施形態は、従属請求項に記載されている。
【発明の効果】
【０００９】
それに従って、ロール及び／またはガイドをパスラインに沿って支持し、ロール方向に配置するロールスタンド及び／またはガイドスタンドの配置、及び、カメラを含むロールのロールあるいはガイド間隔を決定する装置を有する圧延機は、そのとき圧延機は搬入側及び搬出側を有し、カメラがその搬入または搬出側の一方に、バックライトがもう一方の搬入及び搬出側に配置され、カメラが全ロールスタンド及び／またはガイドスタンドに届く焦点深度を備えた光学装置を有することを特徴とすることができる。それによって焦点の移動とそれに結びついたカメラレンズの動きによって生じる画像の不正確さを避けることができる。
【００１０】
ロールあるいはガイド表面の輪郭を認識する手段のために、カメラに従属する画像処理装置の焦点深度の充分な尺度として、好適にはここで、充分な信頼性のある、最前段及び最後段スタンドの、それぞれ１つのロールあるいはガイド表面を認識するために、認識手段が必要とする、不可欠なコントラストが選択される。このような方法で、カメラが一度調節された後、レンズのさらなる機械的な調節なしに、ロールあるいはガイド間隔の測定が行われる。
【００１１】
カメラに対向して配置される、搬入または搬出側に、基準用手段のための発信機を設けることができる。このような基準用手段は、例えば光線、例えば、本発明の具体的な使用によっては、そこに参照基準が存在する、レーザーから生じる光線であることができる。その参照基準は、カメラに従属する画像処理装置のための全ての個々のスタンドに、寸法情報を与えることを可能にし、それによってロールまたはガイドのそれぞれの位置及び、ロールあるいはガイド間隔を相応に尺度に合わせ、画像処理を介して決定することができる。適切な形成のとき、パスラインに沿った、実質的により僅かな軸位置に、正確な画像処理のための比較スケールにより、１つの尺度を設けることで充分である。例えば、該当する比較スケールが、バックライトの領域、あるいはまた最前段のロールスタンド及び／または最後段のロールスタンドのみで測定された場合、その後、三角測量やターレスの定理を用い、数学でよく知られた計算方法を使い、残りのスタンドに尺度を追加あるいは補間をするためには、充分である。後者には、圧延機の簡単に到達できる領域のみに比較スケールが設けられるという長所がある。比較スケールとしては、様々な装置を使用することができる。例えば個別の参照板、同様に該当する尺度を、バックライト領域に、あるいはまたバックライトに直接配置することもでき、それに従って基準用手段の発信機として、及び比較スケールとして使用することが考えられる。同様に、精密あるいは充分正確に、別の方法で測定されたロールまたはガイドを、基準用手段として、または基準縮尺を決定するために用いることができる。
【００１２】
パスラインを有する多段圧延機のロールスタンド及び／またはガイドスタンドのロールあるいはガイド間隔を決定する方法も、そのときカメラが搬入または搬出側に配置され、続いてスタンドのロールあるいはガイド間隔を算出し、スタンドのロールあるいはガイド間隔の算出の前に、カメラが機械的な基準を用い、パスライン上に方向付けられ、少なくとも１つの基準スケールがカメラによって撮像され、画像処理に引き渡されることで特徴付けられる。パスライン上への方向付けには、最終的に測定結果を再び妨害するであろう、さらなる調整作業を不要とするという長所がある。
【００１３】
機械的な基準として、例えば比較スケール、スタンドまたはその他のフレームに設置可能な、 望遠鏡のホルダまたは穴の空いたブリッジのようなマーカー、または例えば最前段または最後段スタンドのロールあるいはガイドそのもの、しかしまたは事前に相応に調節され、充分に恒久的に補正された、カメラのホルダも使用されることができる。同様に基準用手段のための発信機、例えばレーザー光線またはその他の、バックライトの前のあるいはバックライトに付されたマーキングを、 特にそれらが続いて機械的基準用手段として使用されることができる適切なホルダの中に、測定前に位置付けられることができるときにも、基準スケールとして使用することができる。
【００１４】
ここで考慮されなければならないのは、圧延機が比較的大きく、多くのスタンドを非常に狭く交互に配置しており、ロールとガイドの周りにさらに多くの従属連結機械が配置されているため、最前段と最後段スタンドの間の領域が極めて到達しにくいことである。そのため圧延機の周囲には非常に不都合な環境条件があり、通常、バックライト及びカメラ、及びその他の繊細な測定装置は、損傷のないように、または作業の妨げとならないように、圧延の際に撤去される。
【００１５】
その反面、それぞれの材料がその長さにおいてそれを可能にするなら、例えば３０メートル以上の、非常に大きな距離からの撮像を可能にする相応なレンズを有するカメラを、例えば、恒常的にパスライン上に方向付けることも考えられる。
【００１６】
カメラのスタンドからの相応に大きな距離は、特にそこで必要とされる大きな焦点距離のため、全スタンドに渡る充分な焦点深度を持った、長距離の焦点領域を提供することができる。
【００１７】
同様に、バックライト及び場合によってありうる基準用手段は、それが通常の環境条件を許容するとき、問題なくそのように大きく離れて配置されることができる。
【００１８】
測定規準として、例えば比較スケール、バックライト上の尺度、しかしまた例えば最前段または最後段のスタンドのロールまたはガイドそのものも使用されることができる。後者においては通常、基準スケールとして使用するために、例えば、特にその材料に接しない側の摩耗していない面の輪郭または間隔も、それらの寸法において充分に知られている。
【００１９】
基準縮尺によって、画像処理のためにそれぞれ、各ロールスタンドにおいて、識別されたロールまたはガイドの輪郭に適切な寸法を割り当てることができる、１つの尺度を定義することができる。
【００２０】
そのように、ロールあるいはガイド間隔の算出のための画像処理は、それぞれロールまたはガイド表面の輪郭を画像認識を介して識別し、場合によっては、他の基準スケールからの数学的方法によって、追加または補間された基準スケールに関連し、それぞれのロールあるいはガイドの位置を算出する。
【００２１】
ロール及び／またはガイドをパスラインに沿って支持し、ロール方向に配置するロールスタンド及び／またはガイドスタンドの配置、及び、カメラを含む、ロールまたはガイドのロール間隔あるいはガイド間隔を決定する装置を有する圧延機は、そのとき搬入及び搬出側を備え、搬入または搬出側の別の側に、比較スケールの支持軸のためのホルダが配置されていることを特徴とすることができる。これは、本発明の -具体的な適用により− 基準用手段として、基準スケールとしてまたは機械的な基準として使われることのできる、相応な比較スケールの最も簡単な位置付けを実現する。場合によっては、 比較スケールがスタンドの配置の内部において、相応に使用されるように、支持軸は少なくとも１つのスタンドまで届く。このような方法では、側面から個々のスタンド間に比較スケールを位置付けることは、特に必要ではない。
【００２２】
好適には、比較スケールがロール方向に沿って移動可能であり、それによって異なるロールスタンド及び／またはガイドスタンドに関して、それぞれ同じ比較スケールで測定を行うことができる。
【００２３】
それに対応し、多段圧延機のスタンドのロールあるいはガイド間隔を決定する装置は、比較スケールに縦に固定された支持軸を特徴とすることができる。
【００２４】
支持軸は特に筒型に形成され、及び／または比較スケールの中心に固定されることもでき、それによって一方で取り扱いが簡単になり、もう一方では、場合により筒の中心を通して、もう１つの基準用手段の信号が伝達されることができる。そのため、比較スケールが少なくとも１つの光を通す領域を有するとき、有利である。
【００２５】
好適には比較スケールが、１つの尺度を明確に定義する、少なくとも２つの散在する測定位置を有する。場合により、そこでは相応する縁部がそれに関連して使用されることができる。
【００２６】
良好な画像認識は特に、少なくとも１つの測定位置が円形及び／または光を通すように形成されているとき保証される。後者は特に、すでに前述された画像認識との関連で有効である。
【００２７】
比較スケールの基準用手段、及び少なくとも１つのロールまたはガイドの、カメラで撮像された画像から、それぞれロールあるいはガイド距離を決定する画像処理装置を有する、多段圧延機のロールスタンドあるいはガイドスタンドのロールあるいはガイド間隔を決定する装置は、基準用手段の位置を画像に算出し、圧延機のパスラインと同化し、それによってロールまたはガイドの位置を比較スケールを介して算出することを特徴とする。パスラインの同化とそれに伴う定義により、ミスが生じる疑いもある複雑な計算のメカニズムは省略され、それによって、ここにおいても簡単で精密な測定が保証される。
【００２８】
本発明のその他の特徴に累積的、あるいは代替的に、多段圧延機のロールスタンド及び／またはガイドスタンドのロールあるいはガイド間隔を決定する方法は、そのとき比較スケールが全てのスタンドに位置付けられ、続いてそれぞれのスタンドのロールあるいはガイド間隔が算出され、比較スケールの位置付けの前に、カメラを一方の搬入または搬出側に、基準用手段のための発信機、機械的な基準及び／または基準スケールを、もう一方の搬入または搬出側に配置することを特徴とする。これは、それによって、場合により、カメラ及び／または比較スケールの目的に適した正確な位置付け、あるいは、続いて測定に使われることのできる、カメラ及び画面処理の速やかな補正を可能にする。
【００２９】
同様に、多段圧延機のロールスタンド及び／またはガイドスタンドのロールあるいはガイド間隔を決定する方法は、そのとき比較スケールが全てのスタンドに位置付けられ、続いてそれぞれのスタンドのロールあるいはガイド間隔が算出され、全てのロールスタンドに比較スケールを位置付ける前に、基準用手段のための発信機及び／またはカメラが圧延機のパスライン上に方向付けられことを特徴とすることができる。
【００３０】
基準用手段の位置が画像に算出され、パスラインと同化され、そうして、ロールあるいはガイドの位置が、比較スケールあるいは基準縮尺を介して算出されることによって、カメラで撮像された基準用手段、比較スケール、機械的な基準及び／または基準スケール及び少なくとも１つのロールあるいはガイドの画像から、それぞれロールあるいはガイド間隔が決定される。このような方法で、適切な方法実行の際、その間になされなければならなかったであろう、カメラの場合によってありうる位置付け、または調節処置を省略することができる。
【００３１】
特に最前段と最後段スタンドの間に配置されたスタンドにも取り付けられるべき比較スケールの使用の際、多段圧延機のロールスタンド及び／またはガイドスタンドのロールあるいはガイド間隔を決定する方法は、そのとき比較スケールは全てのスタンドに位置付けられ、続いてそれぞれのスタンドのロールあるいはガイド間隔が算出され、比較スケールが圧延機の搬入側または搬出側から運ばれ、全てのスタンドに位置付けられることを特徴とすることができる。この措置によって、特にロールの周りで、比較スケールが可能な限りロール間に届くとき、最終的に比較的困難となる、該当する比較スケールを側面から、スタンド間を通して、全てのロールスタンドに位置付ける必要がなくなる。
【００３２】
それとは無関係に、多段圧延機のロールスタンド及び／またはガイドスタンドのロールあるいはガイド間隔を決定する方法は、そのとき比較スケールが位置付けられ、続いてそれぞれのスタンドのロールあるいはスタンド間隔が算出され、比較スケールに光が通されることを特徴付とすることができる。このようにして簡単かつ精密に画像認識が行われることができる。
【００３３】
好適にはカメラによる撮像のために、少なくとも、カメラと測定されるロールあるいはガイド間にある全てのロールあるいはガイドを半径方向外側に後退させ、または他の方法でカメラの視野から、少なくとも変造されない画像が撮像されるまで遠くに、除去されることができる。このようにしてカメラは妨げられることなく、特に場合によって起こりうる取り違えの危険もなく、それぞれのロールあるいはガイドを測定し、画像処理に引き渡すことができ、そのとき画像処理は容易に該当する輪郭の信頼性の高い識別ができる。
【００３４】
カメラによる撮像のために、測定されるロールあるいはガイド以外の全てのロールあるいはガイドが半径方向外側に後退させられ、または他の方法でカメラの視野から除去されるとき、後者の危険はさらに低減される。
【００３５】
ロールまたはガイドを個別に作動できないとき、その他の除去方法が必要となる。そのとき、それぞれ全てのスタンドをロールのラインから除去し、または個々のロールまたはガイドを取り外すことが有意義となる。
【００３６】
場合によっては、１つのスタンドの全てのロールあるいはガイドが同時に作動し、その測定位置に移動した後、測定されるため、測定はスタンドごとに一工程で行われることが、この文脈から理解される。次に、画像処理の計算は、続いて場合により必要に応じて連続的に行われることができる。
【００３７】
このようにして算出されたロールやガイドの位置に関する値は、次にロール間隔を最適化するために使用されることができる。例えば、３本ロールスタンドの場合、ロールの半径方向調整によって、新しいロール間隔の中心、あるいは、パスラインにより近いところにある、ロール間隔の面の重心が生じることで、軸移動もある程度補整されることができる。同様に、測定値は、特に他の、好適にはオンラインで算出される測定値との相互作用において、圧延中のロールまたはガイド位置の調整に使われることができる。また、このようにして、前述のオンラインで算出される測定値のための測定値変換器は、圧延開始前に補正される。
【００３８】
このように、多層圧延機のロールスタンドあるいはガイドスタンドのロールあるいはガイド間隔を決定する方法は、測定値変換器を介して、ロールあるいはガイド位置をオンラインで算出し、測定値変換器は事前にインラインで補正されることを特徴とすることができる。こうして補正が迅速かつ正確に行われ、それによって続いて相応にオンラインで測定値変換器が最適にロールまたはガイドの駆動とそれらの位置付けのために使用されることができる。
【００３９】
補正は、好適には特に上述の条件に則り、光学的に行われる。
【００４０】
さらなる測定の不正確さを回避するために、測定値変換器は、例えば変位センサの開始点、または、ロールまたはガイドに直接取り付けられるか、または単に機械的なアセンブリを介してロールまたはガイドと間接的に接続されている、光学的変位センサの発光点のような測定点を具備することができる
【００４１】
上記あるいは請求項に記載された解決法の特徴は、場合によっては、利点を相応に累積して実行するために、組み合わせられることもできることは自明である。
【図面の簡単な説明】
【００４２】
本発明のさらなる利点、目的、特徴は、次の、特に添付の図面によっても示される、実施形態例の説明によって解説される。
【００４３】
【図１】図１は、圧延機１の概略側面図を示す。
【図２】図２は、比較スケールの概略的な正面図を示す。
【図３】図３は、圧延機２の概略側面図を示す。
【図４】図４は、圧延機３の概略側面図を示す。
【図５】図５は、圧延機４の概略側面図を示す。
【発明を実施するための形態】
【実施例１】
【００４４】
図１から５に示された圧延機１、２、３及び４は、それぞれ、搬入側１２と搬出側１３の間に配置され、それぞれロール１５を支持するロールスタンド１０を含む。それぞれ複数のそのようなロールスタンド１０を含むロールスタンド１から３とは異なり、圧延機４の場合、１つのみのロールスタンド、及び２つの円錐形の、斜めに配置されたロール１５、及び従属するディッシャーディスク１６がロールスタンド１５に配置され、そのとき圧延機４の場合、そのため、それぞれのガイドスタンド１８に配置され、マンドレルバー１９を支持する多数のガイド１７が設けられる。材料がマンドレルバー１９を介して押し出され、それぞれのガイドスタンド１８に到達するとき、ガイド１７は順次に、全てのガイドスタンド１８に関して半径方向に開口する。ガイド１７は丸い円板として形成され、その際、それがロールとして回転することができることは、必ずしも必要ではないが、有意義である。
【００４５】
１から４の全ての圧延機は、最終的に規定に従った、例えば管、延べ棒、棒鋼などの圧延される材料のための通路の、中心に相応するパスライン２０を含む。ロール間隔測定のために、画像処理装置７０と接続されたカメラ６０が、その光軸によって、または他の方法で定義され、パスライン２０上に位置付けされ、そのとき最終的に好適には、測定の正確さの枠内で、カメラ６０の同一の領域がそれぞれ、全てのスタンド１０、１５のためにパスライン２０を検出することが重要である。それは、カメラ６０に、さらなる調節措置、または複雑かつ誤差を招く修正計算を必要としないという利点をもたらす。カメラ６０の焦点深度が、全てのスタンド１０、１８に届くように選択されたとき、焦点を合わせるためのカメラの光学的配置が行われないため、後者はそれだけでなく、別の観点から考慮の対象外となる。画像処理装置７０、あるいはそこで作動する相応のコンピュータプログラムが、全てのスタンド１０、１８のために撮像された、十分な正確さを有する画像によって、ロール１５、ガイド１７、または場合によってありうる尺度の輪郭も決定することができるとき、十分な焦点深度が達成される。
【００４６】
ここで紹介された実施形態例の場合、好適にはそれぞれ搬出側に、つまりカメラ６０に対向する側に、充分に同形の光をカメラ６０に放射するバックライト５５が設けられているため、それぞれの測定されるロール１５あるいはガイド１７の輪郭が、くっきりとバックライト５５の前に浮かび上がる。具体的な形成によっては、バックライト５５自体が、例えば、例として図４及び５に示されるように、例えば穴または覆いによって生じる、１つのスケールの部位を具備することができる。同様に、基準スケールとして使用されることのできる、別個のスケールを設けることができる。該当するスケールは例示的に図１から３に基づき、下記で説明される。
【００４７】
バックライト５５として、特に好適にはフィルタ箔、または場合によっては、光板からの出射角を減少させるコリメートレンズ付きＬＥＤを有する光板が、迷光を最小限に抑えるために使用される。
【００４８】
図１から３に示された実施形態の場合、比較スケール４０としても使用される参照板のスケールの部位４６によって形成されるスケールも、基準スケールとして用いられる。比較スケール４０は、この実施形態例では支持管５２として形成されている支持軸５０において、バックライト５５から、カメラ６０の方向に、全てのロールスタンド１０に向かって、あるいは、- 図５の圧延機４によって説明されるように、相応するガイド及びガイドスタンドが、存在するならば - 全てのガイドスタンド１８に向かって移動されることができ、そのときこれはバックライト５５の領域に設けられるホルダ５３によって、片持ちで実現され、そのとき具体的な実施によっては、バックライト５５の前または後ろにも配置される別個のホルダ５３（図３参照）も使用されることができる。
【００４９】
このような比較スケール４０によって、スタンド１０、１８それぞれに、比較的大きな正確さで基準寸法を提供することができるため、ロール１５あるいはガイド１７の算出された輪郭は、相応に既知の寸法を設けることもできる。これは画像処理にそれぞれのロール１５あるいはガイド１７の正確な位置についての表示を可能にする。
【実施例２】
【００５０】
代替的実施形態では、特に、このような別個の比較スケール４０が省略された場合には、該当する基準寸法は、例えばターレスの定理、及び、それぞれ搬入側または搬出側で指定された１つまたは２つのスケールから計算されてもよい。このようにバックライト５５のスケールの部位５６は、相応の基準寸法として使用されることができる。同様に、例えばロールスタンド１０の最前及び最後段のロール１５、あるいはガイドスタンド１８の最前または最後段のガイド１７が基準寸法として使用されることができる。なぜならそれらは通常、外から到達しやすいからである。また、搬入側１２または搬出側１３に、何らかの方法で、充分にそこに規定して取り付けることのできる、それぞれ１つの比較スケールを設けることができることも自明である。最終的にここでは、全スタンド１０、１８に届くことのできる、長い支持軸５０は必ずしも必要ではない。
【００５１】
カメラ６０及び／または比較スケール４０の方向付けを容易にするために、あるいはパスライン２０を簡単にカメラ６０に写し取るために、図１から４の圧延機１及び２はそれぞれ、この実施形態例ではレーザーとして形成されている発信機３５を有する、基準用手段３０を備える。場合により、ここではＬＥＤ、例えば別色のＬＥＤまたは、スケールの部位４６及び５６に似たその他のマーキングを使用することもできる。カメラ６０をパスライン２０に関連して方向付けするために、例えばそれらが適切に配置された後、基準用手段３０のための発信機としてのバックライト５５によって照射されることによって、同様に、基準用手段３０として、場合により、すでに他の方法で充分正確に測定されたロール１５またはガイド１８が使用されることもできる。同様に、スタンド１０または１８、または、例えばスタンド支持軸または建付けの開始点などのその他のフレームに取り付けられた他のマーカーも使用されることができる。このようなマーカーは特に望遠鏡の筒または、穴を有するブリッジ、あるいは、パスライン２０を表示する測量エッジを有する、弓形の測径器であることができる。
【符号の説明】
【００５２】
１  圧延機
２  圧延機
３  圧延機
４  圧延機
１０  ロールスタンド
１２  搬入側
１３  搬出側
１５  ロール（例示的に番号を付けた）
１６  ディッシャーディスク
１７  ガイド  （例示的に番号を付けた）
１８  ガイドスタンド（例示的に番号を付けた）
１９  マンドレルバー
２０  パスライン
３０  基準用手段
３５  基準用手段のための発信機
４０  比較スケール
４５  参照板
４６  スケールの部位（例示的に番号を付けた）
５０  支持軸
５２  支持管
５３  ホルダ
５５  バックライト
５６  スケールの部位（例示的に番号を付けた）
６０  カメラ
７０  画像処理装置
【図１】
0005943224.tif 000002
【図２】
0005943224.tif 000003
【図３】
0005943224.tif 000004
【図４】
0005943224.tif 000005
【図５】
0005943224.tif 000006